(57)【特許請求の範囲】
【請求項１】
放電灯に電力を供給する放電灯駆動部と、
前記放電灯の駆動電圧を検出する電圧検出部と、
前記放電灯駆動部を制御する制御部と、
を含み、
前記制御部は、
前記放電灯に供給される電力が第１電力となるように前記放電灯駆動部を制御する第１制御処理と、
前記放電灯に供給される電力が、前記第１電力とは異なる第２電力となるように前記放電灯駆動部を制御する第２制御処理と、
を行い、
前記第１制御処理では、時間的に前に実行された第２制御処理よりもさらに前に実行された第１制御処理において検出された前記放電灯の駆動電圧に基づいて前記放電灯駆動部を制御し、
前記第２制御処理では、時間的に前に実行された第１制御処理よりもさらに前に実行された第２制御処理において検出された前記放電灯の駆動電圧に基づいて前記放電灯駆動部を制御する、放電灯点灯装置。
【請求項２】
請求項１に記載の放電灯点灯装置において、
前記制御部は、
前記第１制御処理を行う期間ごとに前記電圧検出部によって前記放電灯の駆動電圧を検出し、
前記第２制御処理を行う期間ごとに前記電圧検出部によって前記放電灯の駆動電圧を検出する、放電灯点灯装置。
【請求項３】
請求項１又は２に記載の放電灯点灯装置において、
前記制御部は、
前記第１制御処理を行う期間の後半に前記電圧検出部によって前記放電灯の駆動電圧を検出し、
前記第２制御処理を行う期間の後半に前記電圧検出部によって前記放電灯の駆動電圧を検出する、放電灯点灯装置。
【請求項４】
放電灯と、
請求項１ないし３のいずれか１項に記載の放電灯点灯装置と、を含む、プロジェクター。
【請求項５】
所与の切替タイミングで第１映像と第２映像とを切り替えて交互に出力するプロジェクターであって、
放電灯と、
前記放電灯に駆動電流を供給する放電灯駆動部と、
前記放電灯の駆動電圧を検出する電圧検出部と、
前記放電灯駆動部を制御する制御部と、を含み、
時間的に隣り合う前記切替タイミングに挟まれる期間は、第１期間で始まり、第２期間で終わり、
前記制御部は、
前記第２期間に供給される駆動電流の絶対値が、前記第１期間に供給される駆動電流の絶対値よりも大きくなるように、前記放電灯駆動部を制御し、
前記第１期間において、時間的に前の第１期間に検出された前記放電灯の駆動電圧に基づいて前記放電灯駆動部を制御し、
前記第２期間において、時間的に前の第２期間に検出された前記放電灯の駆動電圧に基づいて前記放電灯駆動部を制御する、プロジェクター。
【請求項６】
請求項５に記載のプロジェクターと、
前記制御部からの信号に基づいて開状態と閉状態との間で切り替えられる第１シャッター及び第２シャッターを有するシャッターメガネと、を含み、
前記第１期間において、前記第１シャッター及び前記第２シャッターは前記閉状態となり、
前記第２期間において、前記第１シャッター及び前記第２シャッターのうち一方は前記開状態となり、他方は前記閉状態となる、プロジェクターシステム。
【発明の詳細な説明】
【技術分野】
【０００１】
本発明は、放電灯点灯装置及びプロジェクターに関する。
【背景技術】
【０００２】
高圧水銀ランプやメタルハライドランプなどの放電灯を用いたプロジェクターが実用化されている。このようなプロジェクターに用いる放電灯点灯装置として、特許文献１には、複数色のカラーセグメントが一巡する間に少なくとも１回は放電灯の駆動電圧を検出し、カラーセグメントごとに点灯電力を変更しながら放電灯を駆動するための放電灯点灯装置が開示されている。
【先行技術文献】
【特許文献】
【０００３】
【特許文献１】特開２００９−１６９３０４号公報
【発明の概要】
【発明が解決しようとする課題】
【０００４】
しかし、放電灯の駆動電圧は、放電灯を駆動する電力に応じて短時間で変化する。このため、放電灯を駆動する電力を短時間で変更しながら放電灯を駆動する場合には、目標としている電力値と実際の電力値との間に差が生じてしまい、放電灯の明るさを精度よく制御することが難しかった。
【０００５】
本発明は、以上のような問題点に鑑みてなされたものである。本発明のいくつかの態様によれば、放電灯の明るさを精度よく制御できる放電灯点灯装置及びプロジェクターを提供することができる。
【課題を解決するための手段】
【０００６】
本発明に係る放電灯点灯装置は、放電灯に電力を供給する放電灯駆動部と、前記放電灯の駆動電圧を検出する電圧検出部と、前記放電灯駆動部を制御する制御部と、を含み、前記制御部は、前記放電灯に供給される電力が第１電力となるように前記放電灯駆動部を制御する第１制御処理と、前記放電灯に供給される電力が、前記第１電力とは異なる第２電力となるように前記放電灯駆動部を制御する第２制御処理と、を行い、前記第１制御処理では、過去に前記第１制御処理が行われた期間中に前記電圧検出部によって検出された前記放電灯の駆動電圧に基づいて前記放電灯駆動部を制御し、前記第２制御処理では、過去に前記第２制御処理が行われた期間中に前記電圧検出部によって検出された前記放電灯の駆動電圧に基づいて前記放電灯駆動部を制御する。
【０００７】
本発明によれば、過去に第１制御処理が行われた期間中に電圧検出部によって検出された放電灯の駆動電圧に基づいて第１制御処理を行い、過去に第２制御処理が行われた期間中に電圧検出部によって検出された放電灯の駆動電圧に基づいて第２制御処理を行うので、放電灯に供給される電力を精度よく制御できる。したがって、放電灯の明るさを精度よく制御できる放電灯点灯装置を実現できる。
【０００８】
この放電灯点灯装置は、前記制御部は、前記第１制御処理を行う期間ごとに前記電圧検出部によって検出された前記放電灯の駆動電圧を取得し、前記第２制御処理を行う期間ごとに前記電圧検出部によって検出された前記放電灯の駆動電圧を取得してもよい。
【０００９】
これによって、目標としている電力値を変更するごとに放電灯の駆動電圧を取得できるので、放電灯の状態に合わせて放電灯の明るさを精度よく制御できる。
【００１０】
この放電灯点灯装置は、前記制御部は、前記第１制御処理を行う期間の後半に前記電圧検出部によって検出された前記放電灯の駆動電圧を取得し、前記第２制御処理を行う期間の後半に前記電圧検出部によって検出された前記放電灯の駆動電圧を取得してもよい。
【００１１】
これによって、放電灯の駆動電圧が安定しているタイミングで検出された放電灯の駆動電圧を取得できるので、放電灯の明るさを精度よく制御できる。
【００１２】
本発明に係るプロジェクターは、これらのいずれかの放電灯点灯装置を含む。
【００１３】
本発明によれば、放電灯の明るさを精度よく制御できる放電灯点灯装置を含んで構成されているので、放電灯の明るさを精度よく制御できるプロジェクターを実現できる。
【図面の簡単な説明】
【００１４】
【図１】本実施形態に係るプロジェクター５００を示す斜視図。
【図２】本実施形態に係るプロジェクター５００の光学系を説明するための図。
【図３】光源装置２００の構成を示す説明図。
【図４】本実施形態に係るプロジェクター５００の回路構成を示す回路図。
【図５】本実施形態に係る放電灯点灯装置１の回路構成を示す回路図。
【図６】図６（Ａ）ないし図６（Ｄ）は、放電灯９０に供給する駆動電流Ｉの極性と電極の温度との関係を示す説明図。
【図７】第１期間、第２期間及び切替タイミングについて説明するための図。
【図８】図８（Ａ）は、本実施形態に係る放電灯点灯装置１による駆動電力の制御例を示すグラフ、図８（Ｂ）は、本実施形態に係る放電灯点灯装置１による駆動電流Ｉの制御例を示すグラフ、図８（Ｃ）は、本実施形態に係る放電灯点灯装置１による駆動電圧Ｖｌａの例を示すグラフ。
【図９】図９（Ａ）は、本実施形態に係る放電灯点灯装置１による駆動電力の他の制御例を示すグラフ、図９（Ｂ）は、本実施形態に係る放電灯点灯装置１による駆動電流Ｉの他の制御例を示すグラフ、図９（Ｃ）は、本実施形態に係る放電灯点灯装置１による駆動電圧Ｖｌａの例を示すグラフ。
【発明を実施するための形態】
【００１５】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００１６】
１．本実施形態に係るプロジェクター
図１は、本実施形態に係るプロジェクター５００を示す斜視図である。図１に示される例では、プロジェクター５００は、スクリーン７００に映像７１０を投影している。
【００１７】
１−１．本実施形態に係るプロジェクターの光学系
図２は、本実施形態に係るプロジェクター５００の光学系を説明するための図である。プロジェクター５００は、光源装置２００と、平行化レンズ３０５と、照明光学系３１０と、色分離光学系３２０と、３つの液晶ライトバルブ３３０Ｒ，３３０Ｇ，３３０Ｂと、クロスダイクロイックプリズム３４０と、投写光学系３５０とを有している。
【００１８】
光源装置２００は、放電灯点灯装置１と、光源ユニット２１０と、を有している。光源ユニット２１０は、主反射鏡１１２と副反射鏡５０（詳細は後述される）と放電灯９０とを有している。放電灯点灯装置１は、放電灯９０に電力を供給して、放電灯９０を点灯させる。主反射鏡１１２は、放電灯９０から放出された光を、照射方向Ｄに向けて反射する。照射方向Ｄは、光軸ＡＸと平行である。光源ユニット２１０からの光は、平行化レンズ３０５を通過して照明光学系３１０に入射する。この平行化レンズ３０５は、光源ユニット２１０からの光を、平行化する。
【００１９】
照明光学系３１０は、光源装置２００からの光の照度を液晶ライトバルブ３３０Ｒ，３３０Ｇ，３３０Ｂにおいて均一化する。また、照明光学系３１０は、光源装置２００からの光の偏光方向を一方向に揃える。この理由は、光源装置２００からの光を液晶ライトバルブ３３０Ｒ，３３０Ｇ，３３０Ｂで有効に利用するためである。照度分布と偏光方向とが調整された光は、色分離光学系３２０に入射する。色分離光学系３２０は、入射光を、赤（Ｒ）、緑（Ｇ）、青（Ｂ）の３つの色光に分離する。３つの色光は、各色に対応付けられた液晶ライトバルブ３３０Ｒ，３３０Ｇ，３３０Ｂによって、それぞれ変調される。液晶ライトバルブ３３０Ｒ，３３０Ｇ，３３０Ｂは、液晶パネル５６０Ｒ，５６０Ｇ，５６０Ｂと、液晶パネル５６０Ｒ，５６０Ｇ，５６０Ｂのそれぞれの光入射側及び出射側に配置される偏光板を備える。変調された３つの色光は、クロスダイクロイックプリズム３４０によって合成される。合成光は、投写光学系３５０に入射する。投写光学系３５０は、入射光を、スクリーン７００に投写する。これによって、スクリーン７００上には映像７１０が表示される。
【００２０】
なお、平行化レンズ３０５と、照明光学系３１０と、色分離光学系３２０と、クロスダイクロイックプリズム３４０と、投写光学系３５０とのそれぞれの構成としては、周知の種々の構成を採用可能である。
【００２１】
図３は、光源装置２００の構成を示す説明図である。光源装置２００は、光源ユニット２１０と放電灯点灯装置１とを有している。図中には、光源ユニット２１０の断面図が示されている。光源ユニット２１０は、主反射鏡１１２と副反射鏡５０と放電灯９０とを有している。
【００２２】
放電灯９０の形状は、第１端部９０ｅ１から第２端部９０ｅ２まで、照射方向Ｄに沿って延びる棒形状である。放電灯９０の材料は、例えば、石英ガラス等の透光性材料である。放電灯９０の中央部は球状に膨らんでおり、その内には、放電空間９３が形成されている。放電空間９３内には、希ガス、金属ハロゲン化合物等を含む放電媒体であるガスが封入されている。
【００２３】
また、放電空間９３内には、第１電極９１及び第２電極９２が、放電灯９０から突き出している。第１電極９１は、放電空間９３の第１端部９０ｅ１側に配置され、第２電極９２は、放電空間９３の第２端部９０ｅ２側に配置されている。第１電極９１及び第２電極９２の形状は、光軸ＡＸに沿って延びる棒形状である。放電空間９３内では、第１電極９１の電極先端部（「放電端」とも呼ぶ）と第２電極９２の電極先端部とが、所定距離だけ離れて互いに向かい合っている。なお、第１電極９１及び第２電極９２の材料は、例えば、タングステン等の金属である。
【００２４】
放電灯９０の第１端部９０ｅ１には、第１端子９５１が設けられている。第１端子９５１と第１電極９１とは、放電灯９０の内部を通る導電性部材９４１によって電気的に接続されている。同様に、放電灯９０の第２端部９０ｅ２には、第２端子９５２が設けられている。第２端子９５２と第２電極９２とは、放電灯９０の内部を通る導電性部材９４２によって電気的に接続されている。第１端子９５１及び第２端子９５２の材料は、例えば、タングステン等の金属である。また、導電性部材９４１，９４２としては、例えば、モリブデン箔が利用される。
【００２５】
第１端子９５１及び第２端子９５２は、放電灯点灯装置１に接続されている。放電灯点灯装置１は、第１端子９５１及び第２端子９５２に、交流電流を供給する。その結果、第１電極９１と第２電極９２との間でアーク放電が起きる。アーク放電によって発生した光（放電光）は、破線の矢印で示すように、放電位置から全方向に向かって放射される。
【００２６】
放電灯９０の第１端部９０ｅ１には、固定部材９６１によって、主反射鏡１１２が固定されている。主反射鏡１１２の反射面（放電灯９０側の面）の形状は、回転楕円形状である。主反射鏡１１２は、放電光を照射方向Ｄに向かって反射する。なお、主反射鏡１１２の反射面の形状としては、回転楕円形状に限らず、放電光を照射方向Ｄに向かって反射するような種々の形状を採用可能である。例えば、回転放物線形状を採用してもよい。この場合は、主反射鏡１１２は、放電光を、光軸ＡＸにほぼ平行な光に変換することができる。したがって、平行化レンズ３０５を省略することができる。
【００２７】
放電灯９０の第２端部９０ｅ２側には、固定部材９６２によって、副反射鏡５０が固定されている。副反射鏡５０の反射面（放電灯９０側の面）の形状は、放電空間９３の第２端部９０ｅ２側を囲む球面形状である。副反射鏡５０は、放電光を、主反射鏡１１２に向かって反射する。これによって、放電空間９３から放射される光の利用効率を高めることができる。
【００２８】
なお、固定部材９６１，９６２の材料としては、放電灯９０の発熱に耐える任意の耐熱材料（例えば、無機接着剤）を採用可能である。また、主反射鏡１１２及び副反射鏡５０と放電灯９０との配置を固定する方法としては、主反射鏡１１２及び副反射鏡５０を放電灯９０に固定する方法に限らず、任意の方法を採用可能である。例えば、放電灯９０と主反射鏡１１２とを、独立に、プロジェクター５００の筐体（図示せず）に固定してもよい。副反射鏡５０についても同様である。
【００２９】
１−２．本実施形態に係るプロジェクターの回路構成
図４は、本実施形態に係るプロジェクター５００の回路構成を示す回路図である。プロジェクター５００は、先に説明した光学系の他に、映像信号変換部５１０、直流電源８０、映像処理装置５７０、ＣＰＵ（Central Processing Unit）５８０を含んでいてもよい。また、プロジェクター５００とアクティブシャッターメガネ４１０とを含むプロジェクターシステム４００として構成することも可能である。
【００３０】
映像信号変換部５１０は、外部から入力された映像信号５０２（輝度−色差信号やアナログＲＧＢ信号など）を所定のワード長のデジタルＲＧＢ信号に変換して映像信号５１２Ｒ，５１２Ｇ，５１２Ｂを生成し、映像処理装置５７０に供給する。
【００３１】
映像処理装置５７０は、３つの映像信号５１２Ｒ，５１２Ｇ，５１２Ｂに対してそれぞれ映像処理を行い、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。液晶パネル５６０Ｒ，５６０Ｇ，５６０Ｂに入力される駆動信号５７２Ｒ，５７２Ｇ，５７２Ｂに基づいて、図２を用いて説明した光学系によって、スクリーン７００に映像７１０が投影される。
【００３２】
直流電源８０は、外部の交流電源６００から供給される交流電圧を一定の直流電圧に変換し、トランス（図示しないが、直流電源８０に含まれる）の２次側にある映像信号変換部５１０、映像処理装置５７０及びトランスの１次側にある放電灯点灯装置１に直流電圧を供給する。
【００３３】
放電灯点灯装置１は、起動時に放電灯９０の電極間に高電圧を発生して絶縁破壊させて放電路を形成し、以後、放電灯９０が放電を維持するための駆動電流Ｉを供給する。
【００３４】
液晶パネル５６０Ｒ，５６０Ｇ，５６０Ｂは、それぞれ駆動信号５７２Ｒ，５７２Ｇ，５７２Ｂに基づいて、先に説明した光学系を介して各液晶パネルに入射される色光の輝度を変調する。
【００３５】
ＣＰＵ５８０は、プロジェクター５００の点灯開始から消灯に至るまでの動作を制御する。例えば、点灯命令や消灯命令を、通信信号５８２を介して放電灯点灯装置１に出力してもよい。また、ＣＰＵ５８０は、放電灯点灯装置１から放電灯９０の点灯状態を表す点灯情報を、通信信号５８４を介して受け取ってもよい。
【００３６】
さらに、ＣＰＵ５８０は、映像信号変換部５１０から出力される同期信号５１４に基づいて、映像信号５０２に同期してアクティブシャッターメガネ４１０を制御するための制御信号５８６を、有線又は無線の通信手段を介してアクティブシャッターメガネ４１０に出力してもよい。
【００３７】
アクティブシャッターメガネ４１０は、右シャッター４１２と左シャッター４１４を含んでいてもよい。右シャッター４１２及び左シャッター４１４は、制御信号５８６に基づいて開閉制御される。ユーザーがアクティブシャッターメガネ４１０を装着した場合に、右シャッター４１２が閉じられることによって、右目側の視野を遮ることができる。また、ユーザーがアクティブシャッターメガネ４１０を装着した場合に、左シャッター４１４が閉じられることによって、左目側の視野を遮ることができる。右シャッター４１２及び左シャッター４１４は、例えば、液晶シャッターで構成されていてもよい。
【００３８】
１−３．本実施形態に係る放電灯点灯装置の構成
図５は、本実施形態に係る放電灯点灯装置１の回路構成を示す回路図である。
【００３９】
放電灯点灯装置１は、電力制御回路２０を含む。電力制御回路２０は、放電灯９０に供給する駆動電力を生成する。本実施形態においては、電力制御回路２０は、直流電源８０を入力とし、当該入力電圧を降圧して直流電流Ｉｄを出力するダウンチョッパー回路で構成されている。
【００４０】
電力制御回路２０は、スイッチ素子２１、ダイオード２２、コイル２３及びコンデンサー２４を含んで構成されることができる。スイッチ素子２１は、例えばトランジスターで構成することができる。本実施形態においては、スイッチ素子２１の一端は直流電源８０の正電圧側に接続され、他端はダイオード２２のカソード端子及びコイル２３の一端に接続されている。また、コイル２３の他端にはコンデンサー２４の一端が接続され、コンデンサー２４の他端はダイオード２２のアノード端子及び直流電源８０の負電圧側に接続されている。スイッチ素子２１の制御端子には制御部４０（後述）から電力制御信号が入力されてスイッチ素子２１のＯＮ／ＯＦＦが制御される。電力制御信号には、例えばＰＷＭ（Pulse Width Modulation）制御信号が用いられてもよい。
【００４１】
ここで、スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００４２】
放電灯点灯装置１は、極性反転回路３０を含む。極性反転回路３０は、電力制御回路２０から出力される直流電流Ｉｄを入力し、所与のタイミングで極性反転することによって、制御された時間だけ継続する直流であったり、任意の周波数をもつ交流であったりする駆動電流Ｉを生成出力する。本実施形態においては、極性反転回路３０はインバーターブリッジ回路（フルブリッジ回路）で構成されている。
【００４３】
極性反転回路３０は、例えば、トランジスターなどで構成される第１のスイッチ素子３１、第２のスイッチ素子３２、第３のスイッチ素子３３及び第４のスイッチ素子３４を含み、直列接続された第１のスイッチ素子３１及び第２のスイッチ素子３２と、直列接続された第３のスイッチ素子３３及び第４のスイッチ素子３４を、互いに並列接続して構成される。第１のスイッチ素子３１、第２のスイッチ素子３２、第３のスイッチ素子３３及び第４のスイッチ素子３４の制御端子には、それぞれ制御部４０から極性反転制御信号が入力され、極性反転制御信号に基づいて第１のスイッチ素子３１、第２のスイッチ素子３２、第３のスイッチ素子３３及び第４のスイッチ素子３４のＯＮ／ＯＦＦが制御される。
【００４４】
極性反転回路３０は、第１のスイッチ素子３１及び第４のスイッチ素子３４と、第２のスイッチ素子３２及び第３のスイッチ素子３３とを交互にＯＮ／ＯＦＦを繰り返すことによって、電力制御回路２０から出力される直流電流Ｉｄの極性を交互に反転し、第１のスイッチ素子３１と第２のスイッチ素子３２との共通接続点及び第３のスイッチ素子３３と第４のスイッチ素子３４との共通接続点から、制御された時間だけ継続する直流であったり、制御された周波数をもつ交流であったりする駆動電流Ｉを生成出力する。
【００４５】
すなわち、第１のスイッチ素子３１及び第４のスイッチ素子３４がＯＮの時には第２のスイッチ素子３２及び第３のスイッチ素子３３をＯＦＦにし、第１のスイッチ素子３１及び第４のスイッチ素子３４がＯＦＦの時には第２のスイッチ素子３２及び第３のスイッチ素子３３をＯＮにするように制御する。したがって、第１のスイッチ素子３１及び第４のスイッチ素子３４がＯＮの時には、コンデンサー２４の一端から第１のスイッチ素子３１、放電灯９０、第４のスイッチ素子３４の順に流れる駆動電流Ｉが発生する。また、第２のスイッチ素子３２及び第３のスイッチ素子３３がＯＮの時には、コンデンサー２４の一端から第３のスイッチ素子３３、放電灯９０、第２のスイッチ素子３２の順に流れる駆動電流Ｉが発生する。
【００４６】
本実施形態において、電力制御回路２０と極性反転回路３０とを合わせて放電灯駆動部２３０に対応する。すなわち、放電灯駆動部２３０は、駆動電流Ｉを放電灯９０に供給することによって、放電灯９０に駆動電力を供給する。
【００４７】
放電灯点灯装置１は、制御部４０を含む。制御部４０は、電力制御回路２０及び極性反転回路３０を制御することによって、放電灯９０へ供給される駆動電力、駆動電流Ｉが同一極性で継続する保持時間、駆動電流Ｉの電流値、周波数等を制御する。制御部４０は、制御部４０は、電力制御回路２０に対して、出力される直流電流Ｉｄの電流値を制御することによって、放電灯９０へ供給される駆動電力を制御する駆動電力制御を行う。また、極性反転回路３０に対して駆動電流Ｉの極性反転タイミングによって、駆動電流Ｉが同一極性で継続する保持時間、駆動電流Ｉの周波数等を制御する極性反転制御を行う。
【００４８】
制御部４０の構成は、特に限定されるものではないが、本実施形態においては、制御部４０は、システムコントローラー４１、電力制御部４２及び極性反転制御部４３含んで構成されている。なお、制御部４０は、その一部又は全てを半導体集積回路で構成されていてもよい。
【００４９】
システムコントローラー４１は、電力制御部４２及び極性反転制御部４３を制御することによって、電力制御回路２０及び極性反転回路３０を制御する。システムコントローラー４１は、電圧検出部６１（後述）によって検出された放電灯９０の駆動電圧Ｖｌａ及び電流検出部６２（後述）によって検出された放電灯９０の駆動電流Ｉに基づいて、電力制御部４２及び極性反転制御部４３を制御してもよい。
【００５０】
本実施形態においては、システムコントローラー４１は記憶部４４を含んで構成されている。なお、記憶部４４は、システムコントローラー４１とは独立に設けてもよい。
【００５１】
システムコントローラー４１は、記憶部４４に格納された情報に基づき、電力制御回路２０及び極性反転回路３０を制御してもよい。記憶部４４には、例えば駆動電流Ｉが同一極性で継続する保持時間、駆動電流Ｉの電流値、周波数、波形、変調パターン等の駆動パラメーターに関する情報が格納されていてもよい。
【００５２】
電力制御部４２は、システムコントローラー４１からの制御信号に基づき、電力制御回路２０へ電力制御信号を出力することによって、電力制御回路２０を制御する。
【００５３】
極性反転制御部４３は、システムコントローラー４１からの制御信号に基づき、極性反転回路３０へ極性反転制御信号を出力することによって、極性反転回路３０を制御する。
【００５４】
なお、制御部４０は、専用回路によって実現して上述した制御や後述する処理の各種制御を行うようにすることもできるが、例えばＣＰＵが記憶部４４等に記憶された制御プログラムを実行することによってコンピューターとして機能し、これらの処理の各種制御を行うようにすることもできる。
【００５５】
また、図５に示される例では、制御部４０は、放電灯点灯装置１の一部として構成されているが、制御部４０の機能の一部又は全部をＣＰＵ５８０が担うように構成されていてもよい。
【００５６】
放電灯点灯装置１は、電圧検出部６１を含む。電圧検出部６１は、放電灯９０の駆動電圧Ｖｌａを検出し、駆動電圧情報を制御部４０に出力する。
【００５７】
放電灯点灯装置１は、電流検出部６２を含んで構成されていてもよい。電流検出部６２は、放電灯９０の駆動電流Ｉを検出し、駆動電流情報を制御部４０に出力する。本実施形態において、電流検出部６２は、放電灯９０に直列に接続された抵抗６３に発生する電圧を検出することによって、放電灯９０の駆動電流Ｉを検出する。
【００５８】
なお、電圧検出部６１及び電流検出部６２は、それぞれ専用回路によって実現して上述した検出を行うようにすることもできるが、例えばＣＰＵが図示しない記憶部等に記憶された制御プログラムを実行することによってコンピューターとして機能し、上述した検出を行うようにすることもできる。
【００５９】
また、制御部４０と電圧検出部６１及び電流検出部６２とは、独立に構成されていてもよいし、１つのＣＰＵによって一体として構成されていてもよい。
【００６０】
放電灯点灯装置１は、イグナイター回路７０を含んでもよい。イグナイター回路７０は、放電灯９０の点灯開始時にのみ動作し、放電灯９０の点灯開始時に放電灯９０の電極間（第１電極９１と第２電極９２との間）を絶縁破壊して放電路を形成するために必要な高電圧（放電灯９０の通常点灯時よりも高い電圧）を放電灯９０の電極間（第１電極９１と第２電極９２との間）に供給する。本実施形態においては、イグナイター回路７０は、放電灯９０と並列に接続されている。
【００６１】
１−４．駆動電流の極性と電極の温度との関係
図６（Ａ）ないし図６（Ｄ）は、放電灯９０に供給する駆動電流Ｉの極性と電極の温度との関係を示す説明図である。図６（Ａ）及び図６（Ｂ）は、第１電極９１及び第２電極９２の動作状態を示している。図中には、第１電極９１及び第２電極９２の先端部分が示されている。第１電極９１及び第２電極９２の先端にはそれぞれ突起９１１，９２１が設けられている。第１電極９１と第２電極９２の間で生じる放電は、主として突起９１１と突起９２１との間で生じる。図６（Ａ）及び図６（Ｂ）に示される例では、突起が無い場合と比べて、第１電極９１及び第２電極９２における放電位置（アーク位置）の移動を抑えることができる。ただし、このような突起を省略してもよい。
【００６２】
図６（Ａ）は、第１電極９１が陽極として動作し、第２電極９２が陰極として動作する第１極性状態Ｐ１を示している。第１極性状態Ｐ１では、放電によって、第２電極９２（陰極）から第１電極９１（陽極）へ電子が移動する。陰極（第２電極９２）からは、電子が放出される。陰極（第２電極９２）から放出された電子は、陽極（第１電極９１）の先端に衝突する。この衝突によって熱が生じ、そして、陽極（第１電極９１）の先端（突起９１１）の温度が上昇する。
【００６３】
図６（Ｂ）は、第１電極９１が陰極として動作し、第２電極９２が陽極として動作する第２極性状態Ｐ２を示している。第２極性状態Ｐ２では、第１極性状態Ｐ１とは逆に、第１電極９１から第２電極９２へ電子が移動する。その結果、第２電極９２の先端（突起９２１）の温度が上昇する。
【００６４】
このように、陽極の温度は、陰極と比べて高くなりやすい。ここで、一方の電極の温度が他方の電極と比べて高い状態が続くことは、種々の不具合を引き起こし得る。例えば、高温電極の先端が過剰に溶けた場合には、意図しない電極変形が生じ得る。その結果、アーク長が適正値からずれる場合がある。また、低温電極の先端の溶融が不十分な場合には、先端に生じた微少な凹凸が溶けずに残り得る。その結果、いわゆるアークジャンプが生じる（アーク位置が安定せずに移動する）場合がある。
【００６５】
このような不具合を抑制する技術として、駆動電流Ｉとして、各電極の極性を繰り返し交替させる交流電流を放電灯９０に供給する交流駆動を利用可能である。図６（Ｃ）は、放電灯９０に供給される駆動電流Ｉの一例を示すタイミングチャートである。横軸は時間Ｔを示し、縦軸は駆動電流Ｉの電流値を示している。駆動電流Ｉは、放電灯９０を流れる電流を示す。正値は、第１極性状態Ｐ１を示し、負値は、第２極性状態Ｐ２を示す。図６（Ｃ）に示される例では、駆動電流Ｉとして矩形波交流電流が利用されている。そして、図６（Ｃ）に示される例では、第１極性状態Ｐ１と第２極性状態Ｐ２とが交互に繰り返されている。ここで、第１極性区間Ｔｐは、第１極性状態Ｐ１が続く時間を示し、第２極性区間Ｔｎは、第２極性状態Ｐ２が続く時間を示す。また、図６（Ｃ）に示される例では、第１極性区間Ｔｐの平均電流値はＩｍ１であり、第２極性区間Ｔｎの平均電流値は−Ｉｍ２である。なお、放電灯９０の駆動に適した駆動電流Ｉの周波数は、放電灯９０の特性に合わせて、実験的に決定可能である（例えば、３０Ｈｚ〜１ｋＨｚの範囲の値が採用される）。他の値Ｉｍ１、−Ｉｍ２、Ｔｐ、Ｔｎも、同様に実験的に決定可能である。
【００６６】
図６（Ｄ）は、第１電極９１の温度変化を示すタイミングチャートである。横軸は時間Ｔを示し、縦軸は温度Ｈを示している。第１極性状態Ｐ１では、第１電極９１の温度Ｈが上昇し、第２極性状態Ｐ２では、第１電極９１の温度Ｈが降下する。また、第１極性状態Ｐ１と第２極性状態Ｐ２状態が繰り返されるので、温度Ｈは、最小値Ｈｍｉｎと最大値Ｈｍａｘとの間で周期的に変化する。なお、図示は省略するが、第２電極９２の温度は、第１電極９１の温度Ｈとは逆位相で変化する。すなわち、第１極性状態Ｐ１では、第２電極９２の温度が降下し、第２極性状態Ｐ２では、第２電極９２の温度が上昇する。
【００６７】
第１極性状態Ｐ１では、第１電極９１（突起９１１）の先端が溶融するので、第１電極９１（突起９１１）の先端が滑らかになる。これによって、第１電極９１での放電位置の移動を抑制できる。また、第２電極９２（突起９２１）の先端の温度が降下するので、第２電極９２（突起９２１）の過剰な溶融が抑制される。これによって、意図しない電極変形を抑制できる。第２極性状態Ｐ２では、第１電極９１と第２電極９２の立場が逆である。したがって、第１極性状態Ｐ１と第２極性状態Ｐ２を繰り返すことによって、第１電極９１及び第２電極９２のそれぞれにおける不具合を抑制できる。
【００６８】
ここで、駆動電流Ｉの波形が対称である場合、すなわち、駆動電流Ｉの波形が「｜Ｉｍ１｜＝｜−Ｉｍ２｜、Ｔｐ＝Ｔｎ」という条件を満たす場合には、第１電極９１と第２電極９２との間で、供給される電力の条件が同じである。したがって、第１電極９１及び第２電極９２の熱的条件（温度の上がりやすさや下がりやすさ）が同一であれば、第１電極９１と第２電極９２との間の温度差が小さくなるものと推定される。
【００６９】
また、電極が広い範囲にわたり加熱されすぎる（アークスポット（アーク放電に伴う電極表面上のホットスポット）が大きくなる）と過剰な溶融によって電極の形状が崩れる。逆に、電極が冷えすぎると電極の先端が十分に溶融できず、先端を滑らかに戻せない、すなわち電極の先端が変形しやすくなる。
【００７０】
また、放電灯９０の駆動電流Ｉが大きくなると電極温度が高くなるので、電極からの熱電子放出が増える。これによって、放電灯９０の駆動電圧Ｖｌａは小さくなる。逆に、放電灯９０の駆動電流Ｉが小さくなると電極温度が低くなるので、電極からの熱電子放出が減る。これによって、放電灯９０の駆動電圧Ｖｌａは大きくなる。
【００７１】
１−５．本実施形態における駆動電流の制御例
次に、本実施形態に係る放電灯点灯装置１における駆動電流Ｉの制御の具体例について説明する。
【００７２】
図７は、第１期間、第２期間及び切替タイミングについて説明するための図である。図７には、上から順に駆動信号５７２Ｒ，５７２Ｇ，５７２Ｂの内容、右シャッター４１２の開閉状態、左シャッター４１４の開閉状態、第１期間と第２期間、切替タイミングの時間的関係が示されている。図７の横軸は時間である。以下では、第１映像及び第２映像をそれぞれ左目用映像及び右目用映像として表示映像を観察者に立体視させる例について説明する。
【００７３】
図７に示される例では、駆動信号５７２Ｒ，５７２Ｇ，５７２Ｂは、時刻ｔ１から時刻ｔ３までの間は第１映像としての右目用映像、時刻ｔ３から時刻ｔ５までの間は第２映像としての左目用映像、時刻ｔ５から時刻ｔ７までの間は第１映像としての右目用映像、時刻ｔ７から時刻ｔ９までの間は第２映像としての左目用映像に対応する駆動信号となっている。したがって、図７に示される例では、プロジェクター５００は、時刻ｔ１、時刻ｔ３、時刻ｔ５、時刻ｔ７、時刻ｔ９を切替タイミングとして、第１映像としての右目用映像と第２映像としての左目用映像とを切り替えて交互に出力する。
【００７４】
時間的に隣り合う切替タイミングに挟まれる期間は、第１期間で始まり、第２期間で終わる。図７に示される例では、例えば、切替タイミングとなる時刻ｔ１と時刻ｔ３とに挟まれる期間は、時刻ｔ１から時刻ｔ２までの間の第１期間で始まり、時刻ｔ２から時刻ｔ３までの間の第２期間で終わる。切替タイミングとなる時刻ｔ３と時刻ｔ５とに挟まれる期間、切替タイミングとなる時刻ｔ５と時刻ｔ７とに挟まれる期間、切替タイミングとなる時刻ｔ７と時刻ｔ９とに挟まれる期間についても同様である。なお、図７に示される例では、第１期間の長さと第２期間の長さとを同一に表しているが、第１期間の長さと第２期間の長さは、必要に応じてそれぞれ適宜設定できる。また、第１期間と第２期間の他に、第３期間が存在していてもよい。第３期間においては、後述される第１期間及び第２期間における駆動電流Ｉの制御とは異なる制御を行ってもよい。
【００７５】
右シャッター４１２は、第１映像としての右目用映像に対応する駆動信号５７２Ｒ，５７２Ｇ，５７２Ｂが液晶パネル５６０Ｒ，５６０Ｇ，５６０Ｂに入力されている期間の少なくとも一部の期間で開いた状態となる。図７に示される例では、右シャッター４１２は、時刻ｔ１から時刻ｔ２までの間では閉じた状態であり、時刻ｔ２から時刻ｔ３までの間は開いた状態である。また、図７に示される例では、第２映像としての左目用映像に対応する駆動信号５７２Ｒ，５７２Ｇ，５７２Ｂが液晶パネル５６０Ｒ，５６０Ｇ，５６０Ｂに入力されている期間において、右シャッター４１２は、時刻ｔ３から閉じ始め、時刻ｔ３と時刻ｔ４との間で閉じ終わり、時刻ｔ４から時刻ｔ５までの間は閉じた状態である。時刻ｔ５から時刻ｔ９までの間における右シャッター４１２の開閉状態の変化は、時刻ｔ１から時刻ｔ５までの間の開閉状態の変化と同様である。
【００７６】
左シャッター４１４は、第２映像としての左目用映像に対応する駆動信号５７２Ｒ，５７２Ｇ，５７２Ｂが液晶パネル５６０Ｒ，５６０Ｇ，５６０Ｂに入力されている期間の少なくとも一部の期間で開いた状態となる。図７に示される例では、左シャッター４１４は、時刻ｔ３から時刻ｔ４までの間では閉じた状態であり、時刻ｔ４から時刻ｔ５までの間は開いた状態である。また、図７に示される例では、第１映像としての右目用映像に対応する駆動信号５７２Ｒ，５７２Ｇ，５７２Ｂが液晶パネル５６０Ｒ，５６０Ｇ，５６０Ｂに入力されている期間において、左シャッター４１４は、時刻ｔ１から閉じ始め、時刻ｔ１と時刻ｔ２との間で閉じ終わり、時刻ｔ２から時刻ｔ３までの間は閉じた状態である。時刻ｔ５から時刻ｔ９までの間における左シャッター４１４の開閉状態の変化は、時刻ｔ１から時刻ｔ５までの間の開閉状態の変化と同様である。
【００７７】
図７に示される例では、第１映像としての右目用映像に対応する駆動信号５７２Ｒ，５７２Ｇ，５７２Ｂが液晶パネル５６０Ｒ，５６０Ｇ，５６０Ｂに入力されている期間においては、右シャッター４１２が閉じている期間が第１期間、右シャッター４１２が開いている期間が第２期間に対応している。また、図７に示される例では、第２映像としての左目用映像に対応する駆動信号５７２Ｒ，５７２Ｇ，５７２Ｂが液晶パネル５６０Ｒ，５６０Ｇ，５６０Ｂに入力されている期間においては、左シャッター４１４が閉じている期間が第１期間、左シャッター４１４が開いている期間が第２期間に対応している。また、図７に示される例では、第１期間においては、右シャッター４１２及び左シャッター４１４のいずれのシャッターも閉じている期間が存在している。
【００７８】
図８（Ａ）は、本実施形態に係る放電灯点灯装置１による駆動電力の制御例を示すグラフ、図８（Ｂ）は、本実施形態に係る放電灯点灯装置１による駆動電流Ｉの制御例を示すグラフ、図８（Ｃ）は、本実施形態に係る放電灯点灯装置１による駆動電圧Ｖｌａの例を示すグラフである。図８（Ａ）〜図８（Ｃ）の横軸は時間を表す。図８（Ａ）の縦軸は駆動電力、図８（Ｂ）の縦軸は駆動電流Ｉ、図８（Ｃ）の縦軸は駆動電圧Ｖｌａを表す。
【００７９】
本実施形態に係る放電灯点灯装置１において、制御部４０は、放電灯９０に供給される電力が第１電力Ｗ１となるように放電灯駆動部２３０を制御する第１制御処理と、放電灯９０に供給される電力が、第１電力Ｗ１とは異なる第２電力Ｗ２となるように放電灯駆動部２３０を制御する第２制御処理と、を行い、第１制御処理では、過去に第１制御処理が行われた期間中に電圧検出部６１によって検出された放電灯９０の駆動電圧Ｖｌａに基づいて放電灯駆動部２３０を制御し、第２制御処理では、過去に第２制御処理が行われた期間中に電圧検出部６１によって検出された放電灯９０の駆動電圧Ｖｌａに基づいて放電灯駆動部２３０を制御する。
【００８０】
図８（Ａ）に示される例では、放電灯９０に供給される駆動電力は、第１期間では第１電力Ｗ１、第２期間では第１電力Ｗ１とは異なる第２電力Ｗ２となっている。すなわち、制御部４０は、第１期間においては第１制御処理を行い、第２期間においては第２制御処理を行う。また、図８（Ａ）に示される例では、第１電力Ｗ１＜第２電力Ｗ２の大小関係が成立している。なお、駆動電力の値については、放電灯９０の仕様に基づいて実験的に決定することができる。また、第１期間の長さと第２期間の長さについては、放電灯９０の仕様に基づいて実験的に決定することができる。
【００８１】
図８（Ｂ）には、図８（Ａ）に示される駆動電力パターンで放電灯９０を駆動する場合における駆動電流Ｉの制御例が示されている。図８（Ｂ）に示される例では、駆動電流Ｉは、第１期間においては、電流値が＋Ｉ１から−Ｉ１までの範囲内となる交流電流であり、第２期間においては、電流値が＋Ｉ２から−Ｉ２までの範囲内となる交流電流である。一般的に、放電灯９０の駆動電力を大きくするためには、放電灯９０の駆動電流Ｉを大きくする。したがって、図８（Ｂ）においても、Ｉ１＜Ｉ２の大小関係が成立している。
【００８２】
図８（Ｃ）には、図８（Ａ）に示される駆動電力パターンで放電灯９０を駆動した場合における、放電灯９０の駆動電圧Ｖｌａの一般的な傾向が模式的に示されている。図８（Ｃ）に示される例では、第１期間における駆動電圧Ｖｌａの電圧値はＶ１、第２期間における駆動電圧Ｖｌａの電圧値はＶ２である。また、図８（Ｃ）に示される例では、Ｖ１＞Ｖ２の大小関係が成立している。
【００８３】
放電灯９０の駆動電流Ｉが大きくなると電極温度が高くなるので、電極からの熱電子放出が増える。これによって、放電灯９０の駆動電圧Ｖｌａは小さくなる。逆に、放電灯９０の駆動電流Ｉが小さくなると電極温度が低くなるので、電極からの熱電子放出が減る。これによって、放電灯９０の駆動電圧Ｖｌａは大きくなる。したがって、駆動電圧Ｖｌａは、第１期間においては相対的に大きくなり、第２期間においては相対的に小さくなる。
【００８４】
本実施形態に係る放電灯点灯装置１において、制御部４０は、第１制御処理では、過去に第１制御処理が行われた期間中に電圧検出部６１によって検出された放電灯９０の駆動電圧Ｖｌａに基づいて放電灯駆動部２３０を制御する。例えば、時刻ｔ３から時刻ｔ４までの第１期間においては、制御部４０は、時刻ｔ１から時刻ｔ２までの第１期間中に電圧検出部６１によって検出された放電灯９０の駆動電圧Ｖｌａに基づいて放電灯駆動部２３０を制御してもよい。図８（Ｃ）に示される例では、第１期間における駆動電圧Ｖｌａの電圧値はＶ１であるので、制御部４０は、Ｖ１×Ｉ１が第１電力Ｗ１となる駆動電流Ｉを出力させるように放電灯駆動部２３０を制御する。また例えば、時刻ｔ３から時刻ｔ４までの第１期間においては、制御部４０は、時刻ｔ３よりも前に（時間的に先に）存在した複数回の第１期間中に電圧検出部６１によって検出された放電灯９０の駆動電圧Ｖｌａの平均値に基づいて放電灯駆動部２３０を制御してもよい。
【００８５】
同様に、制御部４０は、第２制御処理では、過去に第２制御処理が行われた期間中に電圧検出部６１によって検出された放電灯９０の駆動電圧Ｖｌａに基づいて放電灯駆動部２３０を制御する。例えば、時刻ｔ４から時刻ｔ５までの第２期間においては、制御部４０は、時刻ｔ２から時刻ｔ３までの第２期間中に電圧検出部６１によって検出された放電灯９０の駆動電圧Ｖｌａに基づいて放電灯駆動部２３０を制御してもよい。図８（Ｃ）に示される例では、第２期間における駆動電圧Ｖｌａの電圧値はＶ２であるので、制御部４０は、Ｖ２×Ｉ２が第２電力Ｗ２となる駆動電流Ｉを出力させるように放電灯駆動部２３０を制御する。また例えば、時刻ｔ４から時刻ｔ５までの第２期間においては、制御部４０は、時刻ｔ４よりも前に（時間的に先に）存在した複数回の第２期間中に電圧検出部６１によって検出された放電灯９０の駆動電圧Ｖｌａの平均値に基づいて放電灯駆動部２３０を制御してもよい。
【００８６】
本実施形態に係る放電灯点灯装置１によれば、過去に第１制御処理が行われた期間中に電圧検出部６１によって検出された放電灯９０の駆動電圧Ｖｌａに基づいて第１制御処理を行い、過去に第２制御処理が行われた期間中に電圧検出部６１によって検出された放電灯９０の駆動電圧Ｖｌａに基づいて第２制御処理を行うので、放電灯９０に供給される電力を精度よく制御できる。したがって、放電灯の明るさを精度よく制御できる放電灯点灯装置を実現できる。
【００８７】
本実施形態に係る放電灯点灯装置１において、制御部４０は、第１制御処理を行う期間ごとに電圧検出部６１によって検出された放電灯９０の駆動電圧Ｖｌａを取得し、第２制御処理を行う期間ごとに電圧検出部６１によって検出された放電灯９０の駆動電圧Ｖｌａを取得してもよい。換言すれば、制御部４０は、第１制御処理を行う期間では少なくとも１回は電圧検出部６１によって検出された放電灯９０の駆動電圧Ｖｌａを取得し、第２制御処理を行う期間では少なくとも１回は電圧検出部６１によって検出された放電灯９０の駆動電圧Ｖｌａを取得してもよい。制御部４０は、取得した放電灯９０の駆動電圧Ｖｌａに基づいて第１制御処理及び第２制御処理を行う。
【００８８】
図８（Ｃ）に示される例では、時刻ｔ１から時刻ｔ２までの第１期間においても、時刻ｔ３から時刻ｔ４までの第１期間においても、それぞれ少なくとも１回は電圧検出部６１によって検出された放電灯９０の駆動電圧Ｖｌａを取得する。同様に、時刻ｔ２から時刻ｔ３までの第２期間においても、時刻ｔ５から時刻ｔ６までの第２期間においても、それぞれ少なくとも１回は電圧検出部６１によって検出された放電灯９０の駆動電圧Ｖｌａを取得する。
【００８９】
放電灯９０の駆動電圧Ｖｌａは、放電灯９０の電極の劣化状態などによって経時変化する。第１制御処理を行う期間ごとに電圧検出部６１によって検出された放電灯９０の駆動電圧Ｖｌａを取得し、第２制御処理を行う期間ごとに電圧検出部６１によって検出された放電灯９０の駆動電圧Ｖｌａを取得することによって、目標としている電力値を変更するごとに放電灯９０の駆動電圧Ｖｌａを取得できるので、放電灯９０の状態に合わせて放電灯９０の明るさを精度よく制御できる。
【００９０】
本実施形態に係る放電灯点灯装置１において、制御部４０は、第１制御処理を行う期間の後半に電圧検出部６１によって検出された放電灯９０の駆動電圧Ｖｌａを取得し、第２制御処理を行う期間の後半に電圧検出部６１によって検出された放電灯９０の駆動電圧Ｖｌａを取得してもよい。
【００９１】
目標としている電力値が変更された直後は、放電灯９０の電極の温度が急激に変化するので、放電灯９０の駆動電圧Ｖｌａの値が不安定になる可能性がある。第１制御処理を行う期間の後半と第２制御処理を行う期間の後半に放電灯９０の駆動電圧Ｖｌａを取得することによって、放電灯９０の駆動電圧Ｖｌａが安定しているタイミングで検出された放電灯９０の駆動電圧Ｖｌａを取得できる。したがって、放電灯９０の明るさを精度よく制御できる。
【００９２】
本実施形態に係るプロジェクター５００によれば、放電灯９０の明るさを精度よく制御できる放電灯点灯装置１を含んで構成されているので、放電灯９０の明るさを精度よく制御できるプロジェクターを実現できる。
【００９３】
１−６．本実施形態における駆動電流の他の制御例
次に、本実施形態に係る放電灯点灯装置１における駆動電流Ｉの制御の他の具体例について説明する。
【００９４】
図９（Ａ）は、本実施形態に係る放電灯点灯装置１による駆動電力の他の制御例を示すグラフ、図９（Ｂ）は、本実施形態に係る放電灯点灯装置１による駆動電流Ｉの他の制御例を示すグラフ、図９（Ｃ）は、本実施形態に係る放電灯点灯装置１による駆動電圧Ｖｌａの例を示すグラフである。図９（Ａ）〜図９（Ｃ）の横軸は時間を表す。図９（Ａ）の縦軸は駆動電力、図９（Ｂ）の縦軸は駆動電流Ｉ、図９（Ｃ）の縦軸は駆動電圧Ｖｌａを表す。図９（Ａ）ないし図９（Ｃ）に示しされる例では、第１期間、第２期間及び第３期間の名称については、図７及び図８とは独立である。
【００９５】
本発明における第１電力Ｗ１及び第２電力Ｗ２は、３つ以上の電力値から任意に選択された２つの電力値であってもよい。図９（Ａ）に示される例では、第１電力Ｗ１＜第２電力Ｗ２＜第３電力Ｗ３の大小関係が成立している。
【００９６】
図９（Ａ）に示される例では、放電灯９０に供給される駆動電力は、第１期間では第１電力Ｗ１、第２期間では第１電力Ｗ１とは異なる第２電力Ｗ２、第３期間では第１電力Ｗ１及び第２電力Ｗ２とは異なる第３電力Ｗ３となっている。すなわち、制御部４０は、第１期間においては第１制御処理を行い、第２期間においては第２制御処理を行う。また、第３期間においては放電灯９０に供給される電力が第３電力Ｗ３となるように放電灯駆動部２３０を制御する第３制御処理を行う。なお、駆動電力の値については、放電灯９０の仕様に基づいて実験的に決定することができる。また、第１期間の長さ、第２期間の長さ及び第３期間の長さについては、放電灯９０の仕様に基づいて実験的に決定することができる。
【００９７】
図９（Ｂ）には、図９（Ａ）に示される駆動電力パターンで放電灯９０を駆動する場合における駆動電流Ｉの制御例が示されている。図９（Ｂ）に示される例では、駆動電流Ｉは、第１期間においては、電流値が＋Ｉ１から−Ｉ１までの範囲内となる交流電流であり、第２期間においては、電流値が＋Ｉ２から−Ｉ２までの範囲内となる交流電流であり、第３期間においては、電流値が＋Ｉ３から−Ｉ３までの範囲内となる交流電流である。一般的に、放電灯９０の駆動電力を大きくするためには、放電灯９０の駆動電流Ｉを大きくする。したがって、図９（Ｂ）においても、Ｉ１＜Ｉ２＜Ｉ３の大小関係が成立している。
【００９８】
図９（Ｃ）には、図９（Ａ）に示される駆動電力パターンで放電灯９０を駆動した場合における、放電灯９０の駆動電圧Ｖｌａの一般的な傾向が模式的に示されている。図９（Ｃ）に示される例では、第１期間における駆動電圧Ｖｌａの電圧値はＶ１、第２期間における駆動電圧Ｖｌａの電圧値はＶ２、第３期間における駆動電圧Ｖｌａの電圧値はＶ３である。また、図９（Ｃ）に示される例では、Ｖ１＞Ｖ２＞Ｖ３の大小関係が成立している。放電灯９０の駆動電圧Ｖｌａが図９（Ｃ）に示されるような傾向となる理由は前述のとおりである。
【００９９】
本実施形態に係る放電灯点灯装置１において、制御部４０は、第１制御処理では、過去に第１制御処理が行われた期間中に電圧検出部６１によって検出された放電灯９０の駆動電圧Ｖｌａに基づいて放電灯駆動部２３０を制御する。例えば、時刻ｔ１４から時刻ｔ１５までの第１期間においては、制御部４０は、時刻ｔ１１から時刻ｔ１２までの第１期間中に電圧検出部６１によって検出された放電灯９０の駆動電圧Ｖｌａに基づいて放電灯駆動部２３０を制御してもよい。図９（Ｃ）に示される例では、第１期間における駆動電圧Ｖｌａの電圧値はＶ１であるので、制御部４０は、Ｖ１×Ｉ１が第１電力Ｗ１となる駆動電流Ｉを出力させるように放電灯駆動部２３０を制御する。また例えば、時刻ｔ１４から時刻ｔ１５までの第１期間においては、制御部４０は、時刻ｔ１４よりも前に（時間的に先に）存在した複数回の第１期間中に電圧検出部６１によって検出された放電灯９０の駆動電圧Ｖｌａの平均値に基づいて放電灯駆動部２３０を制御してもよい。
【０１００】
同様に、制御部４０は、第２制御処理では、過去に第２制御処理が行われた期間中に電圧検出部６１によって検出された放電灯９０の駆動電圧Ｖｌａに基づいて放電灯駆動部２３０を制御する。例えば、時刻ｔ１５から時刻ｔ１６までの第２期間においては、制御部４０は、時刻ｔ１２から時刻ｔ１３までの第２期間中に電圧検出部６１によって検出された放電灯９０の駆動電圧Ｖｌａに基づいて放電灯駆動部２３０を制御してもよい。図９（Ｃ）に示される例では、第２期間における駆動電圧Ｖｌａの電圧値はＶ２であるので、制御部４０は、Ｖ２×Ｉ２が第２電力Ｗ２となる駆動電流Ｉを出力させるように放電灯駆動部２３０を制御する。また例えば、時刻ｔ１５から時刻ｔ１６までの第２期間においては、制御部４０は、時刻ｔ１５よりも前に（時間的に先に）存在した複数回の第２期間中に電圧検出部６１によって検出された放電灯９０の駆動電圧Ｖｌａの平均値に基づいて放電灯駆動部２３０を制御してもよい。
【０１０１】
同様に、制御部４０は、第３制御処理では、過去に第３制御処理が行われた期間中に電圧検出部６１によって検出された放電灯９０の駆動電圧Ｖｌａに基づいて放電灯駆動部２３０を制御する。例えば、時刻ｔ１６から時刻ｔ１７までの第３期間においては、制御部４０は、時刻ｔ１３から時刻ｔ１４までの第３期間中に電圧検出部６１によって検出された放電灯９０の駆動電圧Ｖｌａに基づいて放電灯駆動部２３０を制御してもよい。図９（Ｃ）に示される例では、第３期間における駆動電圧Ｖｌａの電圧値はＶ３であるので、制御部４０は、Ｖ３×Ｉ３が第３電力Ｗ３となる駆動電流Ｉを出力させるように放電灯駆動部２３０を制御する。また例えば、時刻ｔ１６から時刻ｔ１７までの第３期間においては、制御部４０は、時刻ｔ１６よりも前に（時間的に先に）存在した複数回の第３期間中に電圧検出部６１によって検出された放電灯９０の駆動電圧Ｖｌａの平均値に基づいて放電灯駆動部２３０を制御してもよい。
【０１０２】
本実施形態に係る放電灯点灯装置１によれば、過去に第１制御処理が行われた期間中に電圧検出部６１によって検出された放電灯９０の駆動電圧Ｖｌａに基づいて第１制御処理を行い、過去に第２制御処理が行われた期間中に電圧検出部６１によって検出された放電灯９０の駆動電圧Ｖｌａに基づいて第２制御処理を行い、過去に第３制御処理が行われた期間中に電圧検出部６１によって検出された放電灯９０の駆動電圧Ｖｌａに基づいて第３制御処理を行うので、放電灯９０に供給される電力を精度よく制御できる。したがって、放電灯の明るさを精度よく制御できる放電灯点灯装置を実現できる。
【０１０３】
本実施形態に係る放電灯点灯装置１においても、第１制御処理を行う期間ごとに電圧検出部６１によって検出された放電灯９０の駆動電圧Ｖｌａを取得し、第２制御処理を行う期間ごとに電圧検出部６１によって検出された放電灯９０の駆動電圧Ｖｌａを取得し、第３制御処理を行う期間ごとに電圧検出部６１によって検出された放電灯９０の駆動電圧Ｖｌａを取得することによって、目標としている電力値を変更するごとに放電灯９０の駆動電圧Ｖｌａを取得できるので、放電灯９０の状態に合わせて放電灯９０の明るさを精度よく制御できる。
【０１０４】
また、本実施形態係る放電灯点灯装置１においても、第１制御処理を行う期間の後半と第２制御処理を行う期間の後半と第３制御処理を行う期間の後半に放電灯９０の駆動電圧Ｖｌａを取得することによって、放電灯９０の駆動電圧Ｖｌａが安定しているタイミングで検出された放電灯９０の駆動電圧Ｖｌａを取得できる。したがって、放電灯９０の明るさを精度よく制御できる。
【０１０５】
上記各実施形態においては、３つの液晶パネルを用いたプロジェクターを例示して説明したが、本発明はこれに限定されるものではなく、１つ、２つ又は４つ以上の液晶パネルを用いたプロジェクターにも適用可能である。
【０１０６】
上記各実施形態においては、透過型のプロジェクターを例示して説明したが、本発明はこれに限定されるものではなく、反射型のプロジェクターにも適用することが可能である。ここで、「透過型」とは、透過型の液晶パネル等のように光変調手段としての電気光学変調装置が光を透過するタイプであることを意味しており、「反射型」とは、反射型の液晶パネルやマイクロミラー型光変調装置などのように光変調手段としての電気光学変調装置が光を反射するタイプであることを意味している。マイクロミラー型光変調装置としては、例えば、ＤＭＤ（デジタルマイクロミラーデバイス；Texas Instruments社の商標）を用いることができる。反射型のプロジェクターにこの発明を適用した場合にも、透過型のプロジェクターと同様の効果を得ることができる。
【０１０７】
本発明は、投写画像を観察する側から投写するフロント投写型プロジェクターに適用する場合にも、投写画像を観察する側とは反対の側から投写するリア投写型プロジェクターに適用する場合にも可能である。
【０１０８】
上記各実施形態においては、駆動電流Ｉの極性反転１／２周期の期間中は、駆動電流Ｉの絶対値は一定となっている。すなわち、駆動電流Ｉの波形は、いわゆる矩形状の波形となっている。駆動電流Ｉの波形はこれに限らず、駆動電流Ｉの極性反転半周期の期間中において、駆動電流Ｉの絶対値が、第１の電流値となる期間で始まり、第１の電流値よりも大きい第２の電流値となる期間で終わる波形や、駆動電流Ｉの極性反転半周期の期間中において、駆動電流Ｉの絶対値が単調増加する波形など、駆動電流Ｉの極性反転１周期の期間中において、駆動電流Ｉの絶対値が異なる値をとる波形であってもよい。
【０１０９】
なお、本発明は上述の実施形態に限定されず、本発明の要旨の範囲内で種々の変形実施が可能である。
【０１１０】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１１１】
１  放電灯点灯装置、２０  電力制御回路、２１  スイッチ素子、２２  ダイオード、２３  コイル、２４  コンデンサー、３０  極性反転回路、３１  第１のスイッチ素子、３２  第２のスイッチ素子、３３  第３のスイッチ素子、３４  第４のスイッチ素子、４０  制御部、４１  システムコントローラー、４２  電力制御部、４３  極性反転制御部、４４  記憶部、５０  副反射鏡、６１  電圧検出部、６２  電流検出部、６３  抵抗、７０  イグナイター回路、８０  直流電源、９０  放電灯、９０ｅ１  第１端部、９０ｅ２  第２端部、９１  第１電極、９２  第２電極、９３  放電空間、１１２  主反射鏡  ２００  光源装置、２１０  光源ユニット、２３０  放電灯駆動部、３０５  平行化レンズ、３１０  照明光学系、３２０  色分離光学系、３３０Ｒ，３３０Ｇ，３３０Ｂ  液晶ライトバルブ、３４０  クロスダイクロイックプリズム、３５０  投写光学系、４００  プロジェクターシステム、４１０  アクティブシャッターメガネ、４１２  右シャッター、４１４  左シャッター、５００  プロジェクター、５０２  映像信号、５１０  映像信号変換部、５１２Ｒ，５１２Ｇ，５１２Ｂ  映像信号、５１４  同期信号、５６０Ｒ，５６０Ｇ，５６０Ｂ  液晶パネル、５７０  映像処理装置、５７２Ｒ，５７２Ｇ，５７２Ｂ  駆動信号、５８０  ＣＰＵ、５８２  通信信号、５８４  通信信号、５８６  制御信号、６００  交流電源、７００  スクリーン、７１０  映像、９１１  突起、９２１  突起、９４１，９４２  導電性部材、９５１  第１端子、９５２  第２端子、９６１，９６２  固定部材
【図１】
0005812274.tif 000002
【図２】
0005812274.tif 000003
【図３】
0005812274.tif 000004
【図４】
0005812274.tif 000005
【図５】
0005812274.tif 000006
【図６】
0005812274.tif 000007
【図７】
0005812274.tif 000008
【図８】
0005812274.tif 000009
【図９】
0005812274.tif 000010